(57)【要約】【課題】子画面の表示品質の低下を最低限に抑えることができるマルチ画面表示装置を提供する。【解決手段】マルチ画面表示装置は、画面表示処理にかかる負荷をモニターする負荷状況モニター部２４と、負荷状況モニター部２４でモニターした画面表示処理負荷状況から、子画面の表示方式を変更する必要性の有無を判定する処理能力判定部１０と、処理能力判定部１０で子画面の表示方式を変更する必要性が有りと判定された場合、子画面の表示方式を変更する表示方式制御部１１とを備える。【選択図】図１
2007316405.tif 000002
【特許請求の範囲】
【請求項１】
複数の映像ソースからのデータを、１つの表示器に親画面、子画面として複数同時に表示するマルチ画面表示装置において、
画面表示処理にかかる負荷をモニターする負荷状況モニター手段と、
前記負荷状況モニター手段でモニターした画面表示処理負荷状況から、前記子画面の表示方式を変更する必要性の有無を判定する処理能力判定手段と、
前記処理能力判定手段で前記子画面の表示方式を変更する必要性が有りと判定された場合、前記子画面の表示方式を変更する表示方式制御手段と、
を備えることを特徴とするマルチ画面表示装置。
【請求項２】
各表示画面を前記親画面と前記子画面とに区別して管理を行う画面管理手段を備え、
前記表示方式制御手段は、前記モニターした画面表示処理負荷状況に応じて、前記子画面として管理される画面の表示方式を変更することを特徴とする請求項１記載のマルチ画面表示装置。
【請求項３】
前記表示方式制御手段の指示により、表示画面のフレームレートを変更するフレームレート変更手段と、前記表示方式制御手段の指示により、表示画面の解像度を変更する解像度変更手段とを備えることを特徴とする請求項１又は請求項２記載のマルチ画面表示装置。
【請求項４】
入力された映像ソースの内容を判定する画像判定手段を備え、前記表示方式制御手段は、前記画像判定手段の判定結果と、前記モニターした画面表示処理負荷状況と、前記処理能力判定手段の判定結果に応じて、前記子画面として管理される画面の表示方式を変更することを特徴とする請求項１乃至請求項３のいずれかに記載のマルチ画面表示装置。
【請求項５】
前記画像判定手段は、連続するフレーム間の動き量を算出する動き量算出手段によって構成され、前記表示方式制御手段は、前記動き量算出手段による算出結果と、前記モニターした画面表示処理負荷状況と、前記処理能力判定手段の判定結果に応じて、前記子画面として管理される画面のフレームレートを変更することを特徴とする請求項４記載のマルチ画面表示装置。
【請求項６】
前記画像判定手段は、隣接する画素ブロックの類似量を算出する類似量算出手段によって構成され、前記表示方式制御手段は、前記類似量算出手段の算出結果と、前記モニターした画面表示処理負荷状況と、前記処理能力判定手段の判定結果に応じて、前記子画面として管理される画面の解像度を変更することを特徴とする請求項４記載のマルチ画面表示装置。
【請求項７】
前記画像判定手段は、連続するフレーム間の動き量を算出する動き量算出手段と、隣接する画素ブロックの類似量を算出する類似量算出手段によって構成されることを特徴とする請求項４記載のマルチ画面表示装置。
【請求項８】
前記表示方式制御手段は、前記動き量算出手段による算出結果と、前記類似量算出手段の算出結果と、前記モニターした画面表示処理負荷状況と、前記処理能力判定手段の判定結果に応じて、前記子画面として管理される画面のフレームレートと解像度とのどちらを変更するか、または両方変更するか、更にはそれぞれの変更度合いを決定することを特徴とする請求項７記載のマルチ画面表示装置。
【請求項９】
前記表示方式制御手段は、前記動き量算出手段によって連続するフレーム間の動き量が小さい映像ソースと算出した場合は、優先的にフレームレートを落とす処理を行い、また、前記類似量算出手段によって隣接する画素ブロックの類似量が大きい映像ソースと算出した場合は、優先的に解像度を落とす処理を行うことを特徴とする請求項８記載のマルチ画面表示装置。
【発明の詳細な説明】
【技術分野】
【０００１】
本発明は、複数の映像ソースからのデータを１つの表示器に複数同時に表示するマルチ画面表示装置に関する。
【背景技術】
【０００２】
近年、高画質化、多チャンネル化、高機能化及び高品質化を目的として今までのアナログ放送に変わるデジタル放送が導入されつつあり、それに合わせて、例えばプラズマディスプレイ等の大型の表示器が一般家庭にも急速に普及してきている。
【０００３】
また、この大型の表示器は、映像に関わる様々なジャンルのマルチメディア機器との接続が可能となっており、例えば、ＤＶＤプレーヤやパソコン等と接続し、これらの機器から送られてくる映像データを表示することが可能である。また大型の表示器という特性を活かして、デジタル放送の複数チャンネルの画面と共に、ＤＶＤの映像、更にはパソコンの画面を一度に表示するマルチ画面表示も行われつつある。
【０００４】
例えば、特許文献１記載の「動画像複合化装置および動画像複合化方法」に見られるように、デコーダの回路規模の増加や、メモリの使用量を抑えつつ、複数チャネルを高画質で表示が可能な動画像複合化装置の提案もなされている。
【０００５】
しかしながら、複数の映像ソースをマルチな画面で表示をする場合、その表示器の性能にもよるが、高画質のままで表示できる画面数には限界がある。そして、その限界数を超えたマルチ画面表示を行った場合には、処理が間に合わずに映像が一瞬停止したのちにコマ落ちする等の不具合が発生してしまう。その結果として、映像が不連続になる部分が発生することがあり、問題となることが多かった。
【０００６】
従来、この問題を避けるために、映像信号からフレーム単位で画像を間引く技術が採用されている。特にマルチ表示を行う際には、親画面と子画面といった区別を行った上で、子画面の表示に関して、このフレーム間引きを適応していた。
【特許文献１】特開２００２−１１２１９５号公報
【発明の開示】
【発明が解決しようとする課題】
【０００７】
ここで、映像信号からフレーム単位で画像を間引く上記技術は、子画面の映像信号が動画でも静止画でも同じように、ある一定間隔でフレームを間引くようにしている。そのため、映像が同じタイミングで切り替わる、いわゆる周期性をもったチラつきとして視聴者に認識されてしまうという問題がある。また、親画面の表示品質に比べ、明らかに子画面の表示品質を落としていることが視聴者に対してわかってしまう等の問題もあり、改善が求められていた。
【０００８】
本発明の目的は、子画面の表示品質の低下を最低限に抑えることができるマルチ画面表示装置を提供することにある。
【課題を解決するための手段】
【０００９】
上記目的を達成するために、請求項１記載のマルチ画面表示装置は、複数の映像ソースからのデータを、１つの表示器に親画面、子画面として複数同時に表示するマルチ画面表示装置において、画面表示処理にかかる負荷をモニターする負荷状況モニター手段と、前記負荷状況モニター手段でモニターした画面表示処理負荷状況から、前記子画面の表示方式を変更する必要性の有無を判定する処理能力判定手段と、前記処理能力判定手段で前記子画面の表示方式を変更する必要性が有りと判定された場合、前記子画面の表示方式を変更する表示方式制御手段とを備えることを特徴とする。
【発明の効果】
【００１０】
本発明のマルチ画面表示装置は、画面表示処理にかかる負荷をモニターする負荷状況モニター手段と、負荷状況モニター手段でモニターした画面表示処理負荷状況から、子画面の表示方式を変更する必要性の有無を判定する処理能力判定手段とを備える。また、処理能力判定手段で子画面の表示方式を変更する必要性が有りと判定された場合、子画面の表示方式を変更する表示方式制御手段を備える。従って、画面表示処理能力に余裕がある場合は、子画面を間引きさせずに済む。この結果、子画面の表示品質の低下を最低限に抑えることができる。
【発明を実施するための最良の形態】
【００１１】
以下、本発明の実施の形態を図面を参照しながら詳細に説明する。
【００１２】
図１は、本発明の実施の形態に係るマルチ画面表示装置の構成を概略的に示す図である。
【００１３】
図１に示すマルチ画面表示装置は、４つの独立した映像ソースを１つの表示器にマルチ表示を行うシステムの例であり、デジタルチューナを２チャンネル持ち、ＤＶＤプレーヤ及びパソコンとの接続端子を持つ。これら４つの映像ソースは、映像ソースの数を限定するものではなく、更に多い数でも少ない数でも良い。
【００１４】
図１において、マルチ画面表示装置は、アンテナ部１、チューナ部２、１２、復調部３、１３、デコーダ部４、１４、画像判定部５、１５、２５、３５、フレームレート変換部６、１６、２６、３６、解像度変換部７、１７、２７、３７を備える。
【００１５】
また、マルチ画面表示装置は、ＤＶＤ（映像ソース）８、ＰＣ（映像ソース）９、処理能力判定部１０、表示方式制御部１１、画面管理部２０、メモリ制御部２１、メモリ部２２、負荷状況モニター部２４、出力合成部３０、ディスプレイ（表示器）３１を備える。符号２３はグラフィックバスである。
【００１６】
アンテナ部１は、地上波や衛星波などからデジタルテレビの信号を受信する。チューナ部２、１２は、受信したデジタルテレビの信号を、帯域フィルタ及びダウンコンバータなどを通過させた後に、復調部３、１３へ出力する。復調部３、１３は、伝送形態に合致した復調処理を施すと共に、所望のＭＰＥＧ２トランスポートストリームをデコーダ部４、１４へ受け渡す。
【００１７】
デコーダ部４、１４は、受け取ったトランスポートストリームをＭＰＥＧ２のオーディオデータとビデオデータに分離したのちに復号処理を行う。ここでのビデオデータの復号とは、圧縮された映像信号を解凍し、テレビ等の画面に表示することが可能なラスタスキャン形式の表示フォーマットに変換することを表している。
【００１８】
画像判定部５、１５、２５、３５は、それぞれ入力された映像ソースの画像データから、連続する各フレーム間の動き量を算出する。算出した動き量は表示方式制御部１１へ送られる。また同様に、画像判定部５、１５、２５、３５は、それぞれ入力された映像ソースの画像データの、あるフレーム内の隣接する画像ブロックから類似量を算出する。算出した類似量も同様に表示方式制御部１１へ送られる。
【００１９】
フレームレート変換部６、１６、２６、３６は、それぞれ入力された映像ソースのフレーム間引きを行う。表示方式制御部１１から、表示方式の変更指示があれば、該当する映像ソースにおいて、指示された間引きモードでのフレーム間引きを行う。
【００２０】
解像度変換部７、１７、２７、３７は、それぞれ入力された映像ソースの解像度変換処理を行う。表示方式制御部１１から、表示方式の変更指示があれば、該当する映像ソースにおいて、指示された変換モードでの解像度変換を行う。
【００２１】
処理能力判定部１０は、通知された負荷状況から子画面の表示方式を変更する必要性を判断する。即ち、装置における表示処理能力のうち、親画面の表示処理に費やした処理能力を差し引いた残りの処理能力が複数の子画面を表示するにあたって余裕があるかどうかを判断する。
【００２２】
例えば、通知された負荷状況に十分余裕があれば子画面の表示方式を変更する必要はなく、逆に余裕がなければ子画面の表示方式を変更する必要がある。処理能力判定部１０によって判定された結果は、表示方式制御部１１へ通知される。
【００２３】
表示方式制御部１１は、処理能力判定部１０からの表示方式変更指示と、画像判定部５、１５、２５、３５より送られてきた各映像ソースにおけるフレーム間の動き量とフレーム内の隣接画像ブロックの類似量から、表示方式を変更すべき映像ソースを選択する。そして、選択した映像ソースにおける表示方式の変更モードを指示する。
【００２４】
例えば、ＤＶＤプレーヤからの映像ソース８に対してフレームレート及び解像度を変更する場合、フレームレート変換部２６に対して、間引きを実行するイネーブル信号と共に間引きモードを指示する。そして、解像度変換部２７に対して、変換を実行するイネーブル信号と共に変換モードをそれぞれ通知する。
【００２５】
この場合、他の変換部に対しては変更を実行しないディスエーブル信号が送られるとする。ここで述べている間引きモード及び変換モードに関しては、後に図７、図１１において詳しく説明する。
【００２６】
また、本実施の形態において、フレームレートと解像度の変更度合いは、その間引き量を３段階にわけて３つのモードとしているが、間引き量やモード数を３つに限定するものではなく、更に多い数でも少ない数でも良いものとする。
【００２７】
画面管理部２０は、マルチ表示画面上の親画面と子画面とに区別して管理を行う。また親画面と子画面の入替えが指示された場合や、新たに子画面の追加が指示された場合は、その追加された子画面の管理も行うこととする。
【００２８】
メモリ制御部２１は、メモリ部２２のリード・ライトに関するアドレス及びデータの管理を行う。処理された映像データはグラフィックバス２３を介して、メモリ部２２へ格納される。また、メモリ部２２に格納された映像データは、グラフィックバス２３を介して出力合成部３０へ送られる。
【００２９】
負荷状況モニター部２４は、グラフィックバス２３のトラフィックを監視することで表示処理にかかる負荷状況をモニターする。モニターした負荷状況は処理能力判定部１０へ通知される。出力合成部３０は、メモリ部２２から読み出された画像データを、ディスプレイ３１に表示するためのマルチ画面の合成処理を行う。
【００３０】
図２は、図１におけるディスプレイに表示されるマルチ表示画面の例を示す図である。
【００３１】
図２において、マルチ表示画面１００は、親画面にデジタルテレビのＣｈ１を表示、３つの子画面にそれぞれデジタルテレビのＣｈ２、パソコンの画面、ＤＶＤプレーヤの画面を表示している。
【００３２】
マルチ表示画面１０１は、各画面が重なり合うマルチ表示の例を示している。この表示の場合、前面に表示しているデジタルテレビのＣｈ１が親画面の扱いとなり、背面に表示しているデジタルテレビのＣｈ２、パソコンの画面、ＤＶＤプレーヤの画面は子画面の扱いとなる。
【００３３】
図３は、図１における負荷状況モニター部によってモニターされた負荷状況をグラフ化して示す図である。
【００３４】
図３において、斜線で表している部分が親画面であるデジタルテレビのＣｈ１の表示処理にかかる負荷状況である。この親画面の処理にかかる負荷状況は常に変動しているとする。
【００３５】
また図３中、白抜き部分は現時点での余裕度、即ち、子画面の表示に使用できる処理パワーを示している。この白抜き部分の処理パワーで子画面の表示処理をまかなうことが前提条件となる。
【００３６】
図１における処理能力判定部１０は、この処理負荷状況から子画面の表示方式を変更する必要性があるのかを判断し、必要あれば子画面の表示方式の変更指示を表示方式制御部１１へ通知する。
【００３７】
図４は、図１のマルチ画面表示装置によって実行されるマルチ画面表示処理の手順を示すフローチャートである。
【００３８】
このフローは、本装置が起動された際に、表示方式制御部１１によって実行され、その後は画面管理部２０において、表示画面の構成（親画面と子画面の入替え、子画面の追加等）に変化があった際に改めて実行されるものとする。
【００３９】
図４において、まず、マルチ表示か否かの判断を行い（ステップＳ２０１）、マルチ表示でない場合は、単独チャンネルの表示を行い（ステップＳ２０２）、この処理を終了する。
【００４０】
マルチ表示の場合は、指定されたチャンネルを全て表示してみて、その表示負荷状況が１００％以内に収まっているかどうかの判断を行い（ステップＳ２０３）、収まっている場合は、指定されたチャンネルのマルチ表示を行い（ステップＳ２０４）、この処理を終了する。
【００４１】
負荷状況が１００％以内に収まっていない場合、表示方式を変更すべき子画面を選択し、選択した子画面の表示方式を調整する（ステップＳ２０５）。例えば、表示方式制御部１１によって、マルチ表示画面１００のＣｈ２に対してフレームレートの変更が指示される等の処理が行われる。
【００４２】
図５は、図１における画像判定部と表示方式制御部によって実行される類似量算出処理の手順を示すフローチャートである。
【００４３】
図５において、まず、動き量に対する閾値Ａのセット、類似量に対する閾値Ｂのセットを行い（ステップＳ３０１）、フレーム間の動き量の算出を行う（ステップＳ３０２）（動き寮算出手段）。次に、算出された動き量が閾値Ａより大きいか否かの判断を行う（ステップＳ３０３）。
【００４４】
算出された動き量が閾値Ａより大きい場合は、動きの速い動画と認識し（ステップＳ３０４）、フレームレートの変換処理ビットをディスエーブルにし（ステップＳ３０５）、ステップＳ３０９へ進む。
【００４５】
算出された動き量が閾値Ａ以下の場合は、動きの遅い動画と認識し（ステップＳ３０６）、フレームレートの変換ビットをイネーブルにし（ステップＳ３０７）、フレームレート変換モード（間引きモード）を決定して（ステップＳ３０８）、ステップＳ３０９へ進む。
【００４６】
次に、フレーム画像内の隣接ブロックの類似量を算出し（ステップＳ３０９）（類似量算出手段）、算出された類似量が閾値より大きいか否かの判断を行う（ステップＳ３１０）。
【００４７】
算出された類似量が閾値以下の場合は、入力画像が空間周波数の高い画像と認識し（ステップＳ３１１）、解像度変換処理ビットをディスエーブルにし（ステップＳ３１２）、この処理を終了する。
【００４８】
算出された類似量が閾値より大きい場合は、入力画像が空間周波数の低い画像と認識し（ステップＳ３１３）、解像度変換処理ビットをイネーブルにし（ステップＳ３１４）、解像度変換処理の変換モードを決定して（ステップＳ３１５）この処理を終了する。
【００４９】
図６は、図５のステップＳ３０２で実行される動き量算出処理の回路ブロックを概略的に示す図である。
【００５０】
図６において、入力信号（入力フレーム画像）に対し、フレームバッファＡ５０と、フレームバッファＢ５１が交互にフレーム画像データをバッファしていく。この２つのフレーム画像データを比較し、その差分が差分検出部５２によって検出され、最終的に動き量として出力される。
【００５１】
図７は、図５のステップＳ３０８で実行されるフレームレート変換モード（間引きモード）決定処理の内容を示す図である。
【００５２】
図７において、１秒間に６０枚のフレームで構成される一般的に６０ｉ（ｉはインターレース）と呼ばれる映像信号６０を３つの間引きモードで間引く。
【００５３】
間引きモード（１）６１は、やや動きの遅い画像と判断された場合に選択され、フレーム画像の約半分を間引き、１秒間に３０枚のフレームとするモードである。
【００５４】
間引きモード（２）６２は、かなり動きの遅い画像と判断された場合に選択され、フレーム画像の約４分の３を間引き、１秒間に１５枚のフレームとするモードである。
【００５５】
間引きモード（３）６３は、完全な静止画と判断された場合に選択され、基準となる１枚のフレームのみを残して他は全て間引き、１秒間に１枚のフレームとするモードである。
【００５６】
図８は、図５のステップＳ３０８で実行されるフレームレート変換モード（間引きモード）決定処理の手順を示すフローチャートである。
【００５７】
図８において、まず、フレームレートの変換ビットがイネーブルか否かの判別を行い、（ステップＳ４０１）、フレームレートの変換ビットがイネーブルの場合は、算出された動き量に応じて変換モードを決定する（ステップＳ４０２）。
【００５８】
間引きモード（１）が選択された場合はステップＳ４０３へ進み、間引きモード（２）が選択された場合はステップＳ４０４へ進み、間引きモード（３）が選択された場合はステップＳ４０５へ進む。
【００５９】
ステップＳ４０３では、フレーム画像の約半分を間引き、１秒間に３０枚のフレームとする処理を行い、終了する。ステップＳ４０４では、フレーム画像の約４分の３を間引き、１秒間に１５枚のフレームとする処理を行い、終了する。ステップＳ４０５では、基準フレームの１枚のみ残して他は全て間引き、１秒間に１枚のフレームとする処理を行い、終了する。フレームレートの変換ビットがディスエーブルの場合は、この処理を終了する。
【００６０】
図９は、図５のステップＳ３０９によって実行される類似量算出処理の回路ブロックを概略的に示す図である。
【００６１】
図９において、入力信号（入力ブロック画像）に対し、バッファＡ７０とバッファＢ７１が交互にブロック画像データをバッファしていく。この２つの画像データを比較し、その差分が差分検出部７２によって検出され、最終的に類似量として出力される。
【００６２】
図１０は、図９の類似量算出処理の回路に入力されるブロック画像データを示す図である。
【００６３】
図１０において、フレーム画像８０のうち互いに隣接した画像ブロック（ブロック画像データ）８１、８２は、それぞれバッファＡ７０とバッファＢ７１でバッファされ、上記の如く、最終的に類似量として出力される。
【００６４】
ここでの類似量は、比較するブロック画像データの差分が大きければ類似量は小さいものとし、差分が小さければ類似量は大きいものとする。また、類似量が大きければ、入力された画像は空間周波数の低い画像であり、類似量が小さければ入力された画像は空間周波数の高い画像であると言える。
【００６５】
図１１は、図５のステップＳ３１５で実行される解像度変換モード決定処理の内容を示す図である。
【００６６】
図１１において、画像ブロック９０は、あるフレーム内から切り出された１６×１６の画素で構成される。
【００６７】
変換モード（１）９１は、空間周波数のやや低い画像と判断された場合に選択され、１６×１６の画像ブロックを８×８の画像ブロックへと解像度を変換する。即ち、入力画像の解像度に対し、約４分の１の解像度変換を行い、扱うデータ量を４分の１にするモードである。
【００６８】
変換モード（２）９２は、空間周波数が低い画像と判断された場合に選択され、１６×１６の画像ブロックを４×４の画像ブロックへと解像度を変換する。即ち、入力画像の解像度に対し、約１６分の１の解像度変換を行い、扱うデータ量を１６分の１にするモードである。
【００６９】
変換モード（３）９３は、空間周波数がかなり低い画像と判断された場合に選択され、１６×１６の画像ブロックを２×２の画像ブロックへと解像度を変換する。即ち、入力画像の解像度に対し、約６４分の１の解像度変換を行い、扱うデータ量を６４分の１にするモードである。
【００７０】
図１２は、図５のステップＳ３１５で実行される解像度変換モード決定処理の手順を示すフローチャートである。
【００７１】
図１２において、まず、解像度の変換ビットがイネーブルか否かの判別を行い（ステップＳ５０１）、解像度の変換ビットがイネーブルの場合、算出された類似量に応じて変換モードを決定する（ステップＳ５０２）。
【００７２】
モード（１）が選択された場合はステップＳ５０３へ進み、モード（２）が選択された場合はステップＳ５０４へ進み、モード（３）が選択された場合はステップＳ５０５へ進む。
【００７３】
ステップＳ５０３では、１６×１６の画像ブロックを８×８の画像ブロックへと解像度を変換する処理を行い、ステップＳ５０６へ進む。ステップＳ５０４では、１６×１６の画像ブロックを４×４の画像ブロックへと解像度を変換する処理を行い、ステップＳ５０６へ進む。ステップＳ５０４では、１６×１６の画像ブロックを２×２の画像ブロックへと解像度を変換する処理を行い、ステップＳ５０６へ進む。
【００７４】
ステップＳ５０６では、１画面分の変換処理が終了したかどうかの判別を行い、終了の場合はこの処理を終了し、終了していない場合はステップＳ５０２へ戻り、以後、上記の処理を繰り返す。また、解像度の変換ビットがディエーブルの場合もこの処理を終了する。
【００７５】
以上述べてきたように、本発明では、複数の映像ソースからのデータを１つの表示器に複数同時に表示するマルチ画面表示装置において、表示処理にかかる処理能力の余裕度に合わせて子画面の表示方式を変更する。
【００７６】
このことにより、子画面の表示に関して、デコード処理が間に合わずにコマ落ちしてしまうといった不具合がなくなる。また映像ソースの内容を分析し、映像ソースに合わせた間引き度合いを選択することにより、子画面の表示品質の低下を最低限にすることが可能となる。
【図面の簡単な説明】
【００７７】
【図１】本発明の実施の形態に係るマルチ画面表示装置の構成を概略的に示す図である。
【図２】図１におけるディスプレイに表示されるマルチ表示画面の例を示す図である。
【図３】図１における負荷状況モニター部によってモニターされた負荷状況をグラフ化して示す図である。
【図４】図１のマルチ画面表示装置によって実行されるマルチ画面表示処理の手順を示すフローチャートである。
【図５】図１における画像判定部と表示方式制御部によって実行される類似量算出処理の手順を示すフローチャートである。
【図６】図５のステップＳ３０２で実行される動き量算出処理の回路ブロックを概略的に示す図である。
【図７】図５のステップＳ３０８で実行されるフレームレート変換モード（間引きモード）決定処理の内容を示す図である。
【図８】図５のステップＳ３０８で実行されるフレームレート変換モード（間引きモード）決定処理の手順を示すフローチャートである。
【図９】図５のステップＳ３０９によって実行される類似量算出処理の回路ブロックを概略的に示す図である。
【図１０】図９の類似量算出処理の回路に入力されるブロック画像データを示す図である。
【図１１】図５のステップＳ３１５で実行される解像度変換モード決定処理の内容を示す図である。
【図１２】図５のステップＳ３１５で実行される解像度変換モード決定処理の内容を示す図である。
【符号の説明】
【００７８】
１  アンテナ部
５  画像判定部（画像判定手段）
６  フレームレート変換部（フレームレート変換手段）
７  解像度変換部（解像度変換手段）
１０  処理能力判定部（処理能力判定手段）
１１  表示方式制御部（表示方式制御手段）
１５  画像判定部（画像判定手段）
１６  フレームレート変換部（フレームレート変換手段）
１７  解像度変換部（解像度変換手段）
２０  画面管理部（画面管理手段）
２４  負荷状況モニター部（負荷状況モニター手段）
２５  画像判定部（画像判定手段）
２６  フレームレート変換部（フレームレート変換手段）
２７  解像度変換部（解像度変換手段）
３１  ディスプレイ（表示器）
３５  画像判定部（画像判定手段）
３６  フレームレート変換部（フレームレート変換手段）
３７  解像度変換部（解像度変換手段）
ステップＳ３０２  動き量算出手段
ステップＳ３０９  類似量算出手段
【図１】
2007316405.tif 000003
【図２】
2007316405.tif 000004
【図３】
2007316405.tif 000005
【図４】
2007316405.tif 000006
【図５】
2007316405.tif 000007
【図６】
2007316405.tif 000008
【図７】
2007316405.tif 000009
【図８】
2007316405.tif 000010
【図９】
2007316405.tif 000011
【図１０】
2007316405.tif 000012
【図１１】
2007316405.tif 000013
【図１２】
2007316405.tif 000014